(57)【要約】【課題】蛍光管方式による既存の広告看板等との互換性を向上させるが可能な光源装置及び照明装置を提供する。また、熱を外部に逃がし、発熱の問題を解消することが可能な光源装置及び照明装置【解決手段】光源装置１は、発光素子（ＬＥＤ１２）が実装された基板１１と、内部に空洞を有し、略筒形に形成されたフレーム１０と、を有し、フレーム１０の外周面には、基板１１を載置する基板載置部１０ａが形成されている。また、基板１１と基板載置部１０ａは、樹脂部材を介して固着されており、フレーム１０の外周面には、放熱部１０ｂが形成されている。【選択図】図１
2008010305.tif 000002
【特許請求の範囲】
【請求項１】
発光素子が実装された基板と、内部に空洞を有し、略筒形に形成されたフレームと、を有し、
前記フレームの外周面には、前記基板を載置する基板載置部が形成されていることを特徴とする光源装置。
【請求項２】
前記基板と、前記基板載置部とは、樹脂部材を介して固着されていることを特徴とする請求項１記載の光源装置。
【請求項３】
前記フレームの外周面には、放熱部が形成されていることを特徴とする請求項１又は２記載の光源装置。
【請求項４】
前記基板載置部は、略対峙する位置に２箇所形成されていることを特徴とする請求項１から３のいずれか記載の光源装置。
【請求項５】
前記フレームの内周面には、前記フレームの長手方向に沿って切欠部が形成されていることを特徴とする請求項１から４のいずれか記載の光源装置。
【請求項６】
前記切欠部には、前記発光素子を電流制御する電流制御回路基板が取り付けられていることを特徴とする請求項５記載の光源装置。
【請求項７】
前記基板の表面には、少なくとも前記発光素子を覆うように被覆部材が設けられていることを特徴とする請求項１から６のいずれか記載の光源装置。
【請求項８】
前記基板載置部には、前記発光素子を覆うように光拡散部材が取り付けられていることを特徴とする請求項１から７のいずれか記載の光源装置。
【請求項９】
請求項１から８のいずれか記載の光源装置と、当該光源装置を担持する担持部材と、当該光源装置及び当該担持部材を覆うカバー部材と、を備えることを特徴とする照明装置。
【発明の詳細な説明】
【技術分野】
【０００１】
本発明は、例えばＬＥＤなどの発光素子を光源とする光源装置及びそれを用いた照明装置に関する。
【背景技術】
【０００２】
従来から、内照式の広告看板やディスプレイパネルでは、バックライトとして蛍光管が使用されている。蛍光管は、十分な光量を確保する上ではメリットがあるものの、寿命が短く定期的な交換が必要であるため、メンテナンスコストが高いというデメリットがある。また、蛍光管のサイズに起因して、薄型化への対応も難しい。また、省エネが社会的に要求される中で、消費電力が大きいという問題をも抱えている。さらには、環境物質規制が強まる中、水銀が使用されている蛍光管は敬遠されつつある。
【０００３】
このような様々な事情から、近年になって、内照式の広告看板やディスプレイパネルのバックライト方式として、ＬＥＤを光源とした方式のものが登場してきている（例えば特許文献１参照）。特許文献１に開示されたＬＥＤ面発光装置では、平面基板（マザー基板）の上に、数多くのＬＥＤチップがマトリクス状に配列されている。そして、各ＬＥＤチップの光出射面から電極を取り除くことによって、発光効率を向上させうるものとなっている。
【０００４】
【特許文献１】特開２００２−９３４９号公報（段落番号［００１０］）
【発明の開示】
【発明が解決しようとする課題】
【０００５】
しかしながら、平面基板、すなわち平面形状をしたボード上に、数多くのＬＥＤチップをマトリクス状（格子状）に配列する上述のＬＥＤ面発光装置では、バックライトとして蛍光管を用いる蛍光管方式の装置との互換性を保つことができない。
【０００６】
例えば、蛍光管方式による既存の広告看板を、ＬＥＤを光源とした方式のものに移行させようとした場合、広告看板の中から蛍光管を保持する保持部材を取り出し、代わりにマザー基板を設置し、その上に数多くのＬＥＤチップを配列する、というように、大掛かりな変更が必要になる。すなわち、蛍光管方式による既存の広告看板との互換性に乏しい面がある。
【０００７】
本発明は、このような点に鑑みてなされたものであり、その目的は、蛍光管方式による既存の広告看板等との互換性を向上させることが可能な光源装置及び照明装置を提供することにある。
【課題を解決するための手段】
【０００８】
以上のような課題を解決するために、本発明は、以下のものを提供する。
【０００９】
（１）  発光素子が実装された基板と、内部に空洞を有し、略筒形に形成されたフレームと、を有し、前記フレームの外周面には、前記基板を載置する基板載置部が形成されていることを特徴とする光源装置。
【００１０】
本発明によれば、内部に空洞を有し、略筒形に形成されたフレームの外周面に、発光素子が実装された基板を載置する基板載置部が形成されていることとしたので、蛍光管を保持していた従来の保持部材にフレームを固定することができる結果、本発明に係る光源装置と既存の蛍光管との置換が容易となり、ひいては蛍光管方式による既存の広告看板等との互換性を向上させることができる。
【００１１】
この点、特開２００１−３５１４０２号公報（図１）には、円筒形パイプの内側に、複数のＬＥＤが実装された基板を配置することによって、既存の蛍光灯器具に簡単に取り付けられる照明装置が開示されている。この技術によれば、確かに、既存の蛍光管との互換性を確保することができるとも考えられる。しかし、円筒形パイプの内側に配置されたＬＥＤを長時間点灯させた場合、円筒形パイプ内の発熱量の増大に起因して、電子回路的に問題を生ずる虞がある。そこで、本発明では、蛍光管との互換性確保に加え、このような発熱の問題をも解消することができるようになっている。すなわち、本発明によれば、発光素子が実装された基板を、略筒形に形成されたフレームの内側ではなく、その外周面に載置し、熱をフレーム内に閉じ込めないようにすることで、発熱の問題を解消することができる。
【００１２】
ここで、「フレーム」の外形寸法については、如何なる寸法であっても構わないが、蛍光管の標準外径サイズ（２０〜３２φ）とするのが好ましい。これにより、標準的な既存の蛍光管との互換性を確保することができる。
【００１３】
また、フレームの形状について、「略筒形」とは、略円筒形，略三角筒形，略六角筒形など略筒形の形状全てを含む概念である。そして、このフレームの形状については、断面が閉直線，閉曲線になっていなくても構わない。例えば、フレームの長手方向にスリットが入っていても構わない（例えば断面が"Ｃ"や"Ｕ"の形状となっていてもよい）。
【００１４】
また、「フレームの外周面」は、外周面の一部又は全部のいずれであっても構わない。そして、外周面の一部の場合、１箇所でもよいし複数箇所でもよい。さらに、本発明は、フレームの外周面に「基板載置部」が形成されているものであるが、この「基板載置部」の形状の如何は問わない。一般的に、発光素子が実装される基板は平面形状をしていることから、「基板載置部」も平面形状であることが好ましいが、曲面形状となっていることを排除する趣旨ではない。
【００１５】
（２）  前記基板と、前記基板載置部とは、樹脂部材を介して固着されていることを特徴とする（１）記載の光源装置。
【００１６】
本発明によれば、上述した基板と、上述した基板載置部とは、放熱性，密着性，クッション性に富んだ樹脂部材を介して固着されていることとしたので、放熱性をより高めることができる。
【００１７】
なお、「樹脂部材」の素材については、その種類の如何を問わないが、放熱性の面からシリコン系の樹脂部材であることが好ましい。また、シリコン系樹脂部材にフィラーを添加することで、熱伝導率を高め、ひいては放熱性をより高めることができる。さらに、基板と基板載置部が「固着されている」とは、両者が接着されて固定されている場合は勿論のこと、接着されることなく、単に固定されているだけの場合も含むものとする。
【００１８】
（３）  前記フレームの外周面には、放熱部が形成されていることを特徴とする（１）又は（２）記載の光源装置。
【００１９】
本発明によれば、上述したフレームの外周面には、例えば略波形からなる放熱部が形成されていることとしたので、フレーム外周面の面積を増やすことができ、ひいては放熱性を更に高めることができる。
【００２０】
なお、例えば「略波形からなる」放熱部とは、断面が正弦波形状のものだけでなく、例えば、三角波形状のものであっても、鋸歯波形状のものであっても、矩形波形状のものであってもよい。
【００２１】
（４）  前記基板載置部は、略対峙する位置に２箇所形成されていることを特徴とする（１）から（３）のいずれか記載の光源装置。
【００２２】
本発明によれば、上述した基板載置部は、凡そ対峙する位置に２箇所形成されているので、発光素子が実装された基板を、凡そ対峙する位置に２箇所載置することができる。従って、例えば前方及び後方の双方に向けて光を出射することができるので、両面発光用の看板などに用いることができる。また、例えば平面形状からなる基板載置部を、凡そ対峙する位置に２箇所形成することによって、光源装置のフレームは断面が凡そ小判形になるので、断面が凡そ円形のフレームを有する光源装置と比べて、薄型化を実現することが可能になる。
【００２３】
（５）  前記フレームの内周面には、前記フレームの長手方向に沿って切欠部が形成されていることを特徴とする（１）から（４）のいずれか記載の光源装置。
【００２４】
本発明によれば、上述したフレームの内周面には、フレームの長手方向に沿って切欠部が形成されていることとしたので、その切欠部に沿って、例えば定電流回路が実装された回路基板などを収納することができ、コンパクト化を図ることができる。
【００２５】
ここで、「切欠部」の形状，長さ，深さ等の如何は問わない。例えば、長さについていえば、フレームの長手方向における端から端まで切欠部が形成されていてもよいし、その一部分だけに切欠部が形成されていてもよい。
【００２６】
（６）  前記切欠部には、前記発光素子を電流制御する電流制御回路基板が取り付けられていることを特徴とする（５）記載の光源装置。
【００２７】
本発明によれば、発光素子を電流制御する電流制御回路基板が、上述した切欠部に取り付けられていることとしたので、光源装置全体として小型化・コンパクト化を図ることができる。
【００２８】
（７）  前記基板の表面には、少なくとも前記発光素子を覆うように被覆部材が設けられていることを特徴とする（１）から（６）のいずれか記載の光源装置。
【００２９】
本発明によれば、上述した基板の表面には、少なくとも発光素子を覆うように被覆部材が設けられていることとしたので、簡易に防水機能を付加することができる。
【００３０】
（８）  前記基板載置部には、前記発光素子を覆うように光拡散部材が取り付けられていることを特徴とする請求項（１）から（７）のいずれか記載の光源装置。
【００３１】
本発明によれば、上述した基板載置部には、発光素子を覆うように光拡散部材（例えば光拡散板）が取り付けられていることとしたので、照明装置の薄型化に寄与することができる。より詳細に説明すると、例えば、光源装置がカバーで覆われた照明装置を考えた場合、照明装置が薄型化するにつれて、外部から発光素子の有無が視認できるようになり、斑模様が現れてくる。しかし、光量均一化の観点からは、この斑模様は好ましいものではない。そこで、本発明に係る光源装置では、発光素子を覆うように光拡散板が設けられている。このような光源装置がカバーで覆われた照明装置であれば、たとえ薄型化した場合であっても、光拡散板の拡散作用により、カバー外部から斑模様を視認し難くなる。その結果、照明装置の薄型化に寄与することができる。なお、「光拡散板」としては、例えば平面レンズ，凹レンズ，凸レンズ，球面レンズ，放物線レンズなど様々なものが挙げられるが、光を拡散する作用があるものであれば、如何なるものであっても構わない。
【００３２】
（９）  請求項１から８のいずれか記載の光源装置と、当該光源装置を担持する担持部材と、当該光源装置及び当該担持部材を覆うカバー部材と、を備えることを特徴とする照明装置。
【００３３】
本発明によれば、照明装置は、上述した光源装置と、光源装置を担持する担持部材と、光源装置及び担持部材を覆うカバー部材と、を備えるので、例えば従来は蛍光管を担持させていた担持部材に、上述した光源装置を担持させることによって、既存の照明装置との互換性を確保することができる。
【００３４】
ここで、「担持部材」は、光源装置のフレーム部分を掴むようにして担持するものであっても、光源装置のフレーム長手方向の端部を両方から挟み込むようにして担持するものであってもよく（例えば一般家庭にある蛍光灯）、光源装置を担持する態様は如何なるものであってもよい。また、「照明装置」としては、広告看板のみならず、ディスプレイパネルのバックライトや間接照明、棚照明などが挙げられ、その用途の如何は問わない。
【発明の効果】
【００３５】
以上説明したように、本発明に係る光源装置及び照明装置によれば、既存の蛍光管との置換が容易であって、既存の広告看板等との互換性を向上させることができる。また、発光素子等から出る熱を外部に逃がし、発熱の問題をも解消することができる。
【発明を実施するための最良の形態】
【００３６】
以下、本発明を実施するための最良の形態について、図面を参照しながら説明する。
【００３７】
図１は、本発明の実施の形態に係る光源装置１の概略を示す外観斜視図である。なお、本実施形態では発光素子の一例としてＬＥＤ１２を用いているが、発光作用を有する素子であれば、発光素子は如何なるものを用いてもよい。
【００３８】
図１において、光源装置１は、主として、略筒形に形成されたフレーム１０と、フレーム１０の外周面の一部に載置され、細長形状の基板１１と、から構成されている。また、この基板１１の表面には、ＬＥＤ１２が所定のピッチ（例えば７０ｍｍピッチ）で直線状に６個実装されている。なお、本実施形態では、ＬＥＤ１２として面実装型ＬＥＤ（例えば消費電流が８０ｍＡ以上のパワーＬＥＤ）を採用しており、主としてＧａＮ（窒化ガリウム）チップから構成されている。
【００３９】
フレーム１０は、内部に空洞を有するように形成されたアルミ押出しフレームであって、その外周面の一部に、平面形状をした基板載置部１０ａが形成され、その基板載置部１０ａに、平面形状の基板１１が載置されている。そして、基板載置部１０ａは、フレーム１０の外周面のうち対峙する位置に２箇所形成されている（図１参照）。なお、フレーム１０の外形寸法は、蛍光管の標準サイズの１つであるφ２５ｍｍとなっている。また、内部に空洞を有することから軽量化に資することができるようになっている。
【００４０】
ＬＥＤ１２が実装された基板１１は、ガラスエポキシ基板（例えば幅８ｍｍ，長さ４２０ｍｍ）であって、その表面は、シルク印刷又は白レジストなどにより白色に着色されている。これにより、ＬＥＤ１２から照射された光の反射率を高め、ひいてはＬＥＤ１２の光量ロスを低減させることができるようになっている。また、基板１１は、フレーム１０の基板載置部１０ａに、熱伝導性を有する樹脂部材（図示せず）を介して固着されている。樹脂部材は、好ましくは、１Ｗ／ｍ・ｋ以上、より好ましくは、３〜７Ｗ／ｍ・ｋ程度の高電導率を有し、例えばフィラーが添加された接着剤であることが好ましい。
【００４１】
また、基板１１の表面には、少なくともＬＥＤ１２を覆うように被覆部材４０（図１中の斜線部参照）が設けられている（封止処理）。これにより、塵埃や雨水などの進入によりＬＥＤ１２が故障・劣化するのを防ぐことができるようになっている。被覆部材４０は透明なシリコン系の樹脂材であって、防水性能を高く保持する観点から、ＬＥＤ１２の表面から２ｍｍ以上の厚みを有しているのが好ましく、ＬＥＤ１２から発せられる光を弱めないために、ＬＥＤ１２の表面から３ｍｍ以下の厚みを有しているのが好ましい。被覆部材４０の材質としては、上述したシリコン系の樹脂の他、透明なエポキシ系の樹脂であってもよい。
【００４２】
フレーム１０の両端には、蓋部材１４が取り付けられており、この蓋部材１４は、螺子１５によってフレーム１０に固定されている。また、フレーム１０の内部には、ＬＥＤ１２を電流制御する電流制御回路基板１６（後述する図２参照）が取り付けられており、この電流制御回路基板１６と電気的に接続された配線が、蓋部材１４を介して外部に取り出されるようになっている（図１参照）。
【００４３】
図２は、本発明の実施の形態に係る光源装置１の平面図及び側面図である。図３は、図２に示す光源装置１の切断面図である。なお、図２（ａ）は、光源装置１の平面図を示し、図２（ｂ）は、光源装置１の側面図を示し、図２（ｃ）は、図２（ｂ）の矢印Ｘ方向から見たときの側面図を示しており、図２（ａ）及び図２（ｂ）では、長手方向におけるフレーム１０の一部を割愛している（そのため、ＬＥＤ１２が全部で４個となっている）。また、図３の切断面図は、図２（ａ）又は図２（ｂ）に示す電流制御回路基板１６を切断する位置における、フレーム１０の切断面を示している（ただし電流制御回路基板１６は省略）。
【００４４】
図２（ａ）及び図２（ｂ）に示すように、フレーム１０の内部には、平面形状の電流制御回路基板１６が取り付けられている（点線部参照）。また、図２（ｃ）に示すように、その側面が、フレーム１０の断面（略円形）の直径と一致するように取り付けられている。
【００４５】
図３において、フレーム１０は、その表面に、２箇所の基板載置部１０ａと、放熱部１０ｂとを有している。基板載置部１０ａは、基板１１を載置できるように平面形状となっており、放熱部１０ｂは、放熱性を高めるために波形（正弦波形）に構成されており、これにより、フレーム１０の外周面の面積が大きくなっている。放熱部１０ｂについて更に詳述すると、波の一波長分の機械角βは、約１２°〜１８°であって（二波長分の機械角αでは、約３５°であって）、谷部分の広がり角γは、約７０°となっている。また、波高は、約２．５ｍｍとなっている。なお、基板載置部１０ａと放熱部１０ｂとの間には、溝部１０ｅが４箇所形成されており、この溝部１０ｅに、後述する凸レンズ３１など（図７参照）を取り付けることができるようになっている。
【００４６】
一方で、フレーム１０の内部には、螺子１５が装入される装入溝１０ｄと、電流制御回路基板１６を取り付けるための切欠部１０ｃとが形成されている。装入溝１０ｄは、螺子１５を径方向に挟み込むような形状となっており、穴形状にはなっていない。従って、螺子１５の径の大きさが理想値より多少長くても、これを適切に装入することができ、ひいては汎用性を高めることができる。切欠部１０ｃは、フレーム１０の長手方向に沿って形成されており、電流制御回路基板１６の両端部が嵌入されるようになっている。なお、２箇所の装入溝１０ｄを結ぶ直線は、２箇所の基板載置部１０ａと平行な方向（図３中の上下方向）に対し、上述した角度αだけ傾いており、２箇所の切欠部１０ｃを結ぶ直線は、２箇所の基板載置部１０ａと平行な方向（図３中の上下方向）に対し、上述した角度βだけ傾いている。
【００４７】
図４は、基板１１に実装されたＬＥＤ１２を電流制御する電流制御回路基板１６の電気的構成を説明するためのブロック図である。
【００４８】
図４において、電流制御回路基板１６は、主として、統合的な制御を司るドライバ（ＩＣユニット）１６１と、ＤＣ／ＤＣコンバータ１６２と、電流センシング抵抗Ｒｓと、電流調整ボリュームＶＲ１，ＶＲ２と、を有している。ドライバ１６１は、入力電圧端子１０１を介して電力供給（例えば７Ｖ〜２８Ｖ）を受けつつ、ＬＥＤ出力端子１０２の一端に対して所定の電気信号を送信する。そして、ＬＥＤ出力端子１０２において、この所定の電気信号と、入力電圧端子１０１から送られてきた電気信号（ＬＥＤ出力端子１０２の他端）との電位差によって、ＬＥＤ１２を電流制御する。
【００４９】
このとき、電流調整ボリュームＶＲ１，ＶＲ２を調整することによって、例えば０Ａ〜１．２Ａのレンジで電流値制御を行うことができる。また、電流切替端子１０４を介して電流切替信号を受信することによって、例えば低消費電力の夜間セーブモードで電流調整をしたり、外部からの小信号でＯＮ／ＯＦＦ（或いは点滅）や調光調整をしたりすることができる。また、本実施形態では、ＤＣ／ＤＣコンバータ１６２を介して電源出力端子１０３から電源出力（例えば５Ｖ）を取り出せるようになっている。
【００５０】
このように、本実施形態では、電流制御回路基板１６上に、ドライバ１６１をベースにした定電流回路を構成しており、これにより、一定光量の光を出せるようになっている。また、定電流回路を構成することで、ＬＥＤ１２の駆動電流が温度変化に左右されなくなるので、ＬＥＤ１２の定格電流ぎりぎりのところでＬＥＤ１２を駆動することができ、ひいてはハードウェア資源を有効活用することができるようになっている。
【００５１】
次に、このような光源装置１を用いた照明装置について、一例を挙げて説明する。図５は、複数の光源装置１を用いた照明装置５０を説明するための説明図である。図６は、光源装置１が照明装置５０のホルダ２１に取り付けられている様子を説明するための説明図である。
【００５２】
図５において、照明装置５０には、合計８個の光源装置１（１Ａ〜１Ｈ）が並べて配設されている。これらの光源装置１は、平板状のベース板２５と、ベース板２５に嵌合されるパネル２６とによって覆われている。
【００５３】
図６（ａ）に示すように、ベース板２５には、土台となるステイ２２が螺子２４を介して固着されており、このステイ２２には、光源装置１を担持するホルダ２１が螺子２３を介して固着されている。そして、このホルダ２１に、光源装置１（１Ａ〜１Ｈ）のフレーム１０の両端が担持されるようになっている（図５参照）。なお、図６（ｂ）は、図６（ａ）の矢印Ｙ方向から見たときの平面図であって、図６（ｃ）は、図６（ａ）の矢印Ｚの方向から見たときの側面図である。
【００５４】
ホルダ２１に担持された光源装置１（１Ａ〜１Ｈ）の各々において、ＬＥＤ１２は、いずれもパネル２６の高さ方向を向いている（図５の高さＨの方向）。これにより、パネル２６の一部だけではなく、パネル２６全体を均一に光らせることができる。
【００５５】
ただし、図５の高さＨが低くなってきたとき、すなわち照明装置５０が薄型化したときには、光源装置１のＬＥＤ１２にパネル２６が相対的に接近することから、ＬＥＤ１２がある位置を明とし、これがない位置を暗とする、斑模様がパネル２６に現れてくる。これは、光量均一化の観点から好ましいものではない。
【００５６】
そこで、ＬＥＤ１２を覆うように光拡散板を取り付けることを考える。図７は、ＬＥＤ１２を覆うように光拡散板を取り付けたときの様子を説明するための説明図である。
【００５７】
図７（ａ）に示すフレーム１０には、２箇所にある基板１１を覆うように、溝部１０ｅ（図３参照）に凸レンズ３１が取り付けられている（図中の斜線部参照）。また、図７（ｂ）に示すフレーム１０には、２箇所にある基板１１を覆うように、溝部１０ｅ（図３参照）に凹レンズ３２が取り付けられている（図中の斜線部参照）。さらに、図７（ｃ）に示すフレーム１０には、２箇所にある基板１１を繋ぐ放熱部１０ｂのうち、一方の放熱部１０ｂ（図中右側の放熱部１０ｂ）を覆うように、球面レンズ３３が取り付けられている。このように、種々の光拡散板を利用することによって、照明装置５０を薄型化した場合であっても、斑模様を生じ難くすることができる。
【００５８】
なお、ここでは光拡散板を利用した斑模様の低減について説明したが、例えば、光源装置１のＬＥＤ１２を現在の垂直方向（図７でいう上下方向）から水平方向（図７でいう左右方向）に傾けることによって（フレーム１０を９０°回転させることによって）、斑模様を低減することもできる。具体的に説明すると、図７において、光源装置１の近傍に、水平方向に出射された光を垂直方向に拡散・反射させる反射シート（図示せず）を設置しておく。そうすれば、光源装置１のＬＥＤ１２から水平方向に出射された光は、反射シートによって垂直方向に拡散・反射され、パネル２６に斑模様が現れるのを防ぐことができる。また、ＬＥＤ１２とパネル２６の間の距離と、反射シートとパネル２６の間の距離を比べると、後者の方が長いことから、これによっても、パネル２６に斑模様が現れるのを防ぐことができる。
【００５９】
［実施形態の効果］
本実施形態に係る光源装置１によれば、既存の蛍光管を担持していたホルダ２１（図５，６参照）を使用して、照明装置５０のステイ２２に簡単に取り付けることができるので、蛍光管方式による既存の広告看板等との互換性を向上させることができる。加えて、フレーム１０には放熱部１０ｂ（図３参照）が形成されており、ＬＥＤ１２から生じる熱を放熱することができるので、電子回路的に諸問題が生ずるのを防ぐことができる。この放熱性に関しては、基板１１とフレーム１０を固着するにあたって、熱伝導性の高い樹脂部材を採用しており、これによっても放熱性を高めることができる。また、波形状の放熱部を形成することによっても、放熱性を高めることができる。
【００６０】
また、基板載置部１０ａが略対峙する位置に２箇所形成されていることから、両面発光用の看板などに用いることができる。また、略対峙する位置に２箇所形成されていれば、フレーム１０の断面は小判形になる。従って、光源装置１の小型化（薄型化）を図ることができる。
【００６１】
また、フレーム１０の内周面には、フレーム１０の長手方向に沿って切欠部１０ｃが形成されており、ここにＬＥＤ１２を駆動する電流制御回路基板１６を収納することができるので、光源装置１のコンパクト化を図ることができる。なお、フレーム１０の内部には、電流制御回路基板１６だけでなく、例えば電源回路基板など他の回路基板を一緒に収納しても構わない。
【００６２】
また、ＬＥＤ１２の表面には、被覆部材４０が設けられているので（図１参照）、簡易に防水機能を付加することができる。なお、被覆部材４０は、ＬＥＤ１２の表面だけでなく、基板１１の表面全体に設けることとしてもよい。
【００６３】
また、電流制御回路基板１６に定電流回路が構成されていることから、ＬＥＤ１２の温度上昇による電流値上昇を防ぐことができるとともに、均一な明るさを確保することができる。また、ＬＥＤ１２に一定の駆動電流を流すことで、ＬＥＤ１２の故障・劣化を防ぐことができ、長寿命化を図ることができる。なお、電流制御回路基板１６は、一般的な通常回路と比較すると電力ロスを抑えた構成となっているので、高効率で省エネを実現することができる。
【００６４】
さらには、図７を用いて説明したように、光源装置１に光拡散板を取り付けることによって、光源装置１を用いた照明装置５０の厚さが薄くなった場合であっても、パネル２６上に斑模様が生じるのを防ぐことができる。
【００６５】
［変形例］
図８〜図１０は、本発明の他の実施の形態に係る光源装置を説明するための説明図である。図８〜図１０は、それぞれフレーム１０の変形例，基板載置部１０ａの変形例，放熱部１０ｂの変形例を説明するための図であって、いずれも光源装置におけるフレーム１０の断面形状を示している。
【００６６】
図８（ａ）に示すように、上述した光源装置１におけるフレーム１０は、略円筒形状であるが、本発明はこれに限られず、例えば、図８（ｂ）に示すように略三角筒形状であってもよいし、図８（ｃ）に示すように略四角筒形状であってもよい。また、図８（ｄ）に示すように、断面が"Ｃ"となるような形状であってもよい（すなわち、フレーム１０の長手方向にスリットが入っていてもよい）。
【００６７】
次に、図９（ａ）に示すように、上述した光源装置１における基板載置部１０ａは、平面形状であって略対峙する位置に２箇所形成されているが、本発明はこれに限られず、例えば、図９（ｂ）に示すように、平面形状であって１箇所だけに形成されていてもよい。また、図９（ｃ）に示すように、平面形状でなく曲面形状であって、略対峙する位置に２箇所形成されていてもよい。このとき、ＬＥＤ１２が実装された基板１１も、曲面形状に形成されることになる。なお、図９（ｄ）に示すように、図９（ａ）と図９（ｃ）とを組み合わせたようなものであってもよい。すなわち、各々２個ある基板１１及び基板載置部１０ａのうち、片方が平面形状であって、他方が曲面形状であっても構わない。
【００６８】
次に、上述した光源装置１における放熱部１０ｂは、断面が波形状であったが、本発明はこれに限られず、例えば、図１０（ａ）に示すように、断面が歯形状のもの（或いは矩形波形状）であってもよいし、図１０（ｂ）に示すように、断面が三角波形状のもの（或いは鋸歯波形状のもの）であってもよい。もちろん、断面は三角波形状のものであって、全体的には大きく湾曲しているような形状のものであっても構わない（図１０（ｃ）参照）。
【産業上の利用可能性】
【００６９】
本発明に係る光源装置及び照明装置は、既存の広告看板等との互換性を向上させるとともに、放熱性をも向上させることが可能なものとして有用である。
【図面の簡単な説明】
【００７０】
【図１】本発明の実施の形態に係る光源装置の概略を示す外観斜視図である。
【図２】本発明の実施の形態に係る光源装置の平面図及び側面図である。
【図３】図２に示す光源装置の切断面図である。
【図４】基板に実装されたＬＥＤを電流制御する電流制御回路基板の電気的構成を説明するためのブロック図である。
【図５】複数の光源装置を用いた照明装置を説明するための説明図である。
【図６】光源装置が照明装置のホルダに取り付けられている様子を説明するための説明図である。
【図７】ＬＥＤを覆うように光拡散板を取り付けたときの様子を説明するための説明図である。
【図８】本発明の他の実施の形態に係る光源装置を説明するための説明図である。
【図９】本発明の他の実施の形態に係る光源装置を説明するための説明図である。
【図１０】本発明の他の実施の形態に係る光源装置を説明するための説明図である。
【符号の説明】
【００７１】
１  光源装置
１０  フレーム
１０ａ  基板載置部
１０ｂ  放熱部
１０ｃ  切欠部
１０ｄ  装入溝
１０ｅ  溝部
１１  基板
１２  ＬＥＤ
１４  蓋部材
１５  螺子
１６  電流制御回路基板
４０  被覆部材
【図１】
2008010305.tif 000003
【図２】
2008010305.tif 000004
【図３】
2008010305.tif 000005
【図４】
2008010305.tif 000006
【図５】
2008010305.tif 000007
【図６】
2008010305.tif 000008
【図７】
2008010305.tif 000009
【図８】
2008010305.tif 000010
【図９】
2008010305.tif 000011
【図１０】
2008010305.tif 000012